(57)【要約】【課題】複数のチェックポイントを通過した旨を表示する情報表示シートにおいて、複数のチェックポイントを通過した際にスタンプ等を押下することなく、複数のチェックポイントを通過した旨を視覚的に認識しやすくする。【解決手段】シート媒体上に、予め設置された複数のチェックポイントのそれぞれに対応して複数の動物マーク表示部１１ａ〜１１ｊが設けられてなるスタンプラリーマップ１において、スタンプラリーマップ１の現在位置を取得する通信部２２と、通信部２２にて取得された現在位置が、チェックポイントが設置された位置である場合、そのチェックポイントに対応する動物マーク表示部１１ａ〜１１ｊにチェック情報を表示し、その後、スタンプラリーマップ１の現在位置が、そのチェックポイントが設置された位置でなくなった後もその表示を維持する表示ユニット２１ａ〜２１ｊ及び制御基板２３とを有する。【選択図】図１
2010099192.tif 000002
【特許請求の範囲】
【請求項１】
シート媒体上に、予め設置された複数のチェックポイントのそれぞれに対応して複数の情報表示エリアが設けられてなる情報表示シートであって、
当該情報表示シートの現在位置を取得する位置取得手段と、
前記位置取得手段にて取得された現在位置が、前記チェックポイントが設置された位置である場合、当該チェックポイントに対応する情報表示エリアにチェック情報を表示し、その後、当該情報表示シートの現在位置が、当該チェックポイントが設置された位置でなくなった後も当該表示を維持する表示制御手段とを有する情報表示シート。
【請求項２】
請求項１に記載の情報表示シートにおいて、
前記表示制御手段は、前記位置取得手段にて取得された現在位置が、前記チェックポイントが設置された位置から所定の距離内である場合、当該チェックポイントに対応する情報表示エリアに前記チェック情報を点滅表示し、前記位置取得手段にて取得された現在位置が、前記チェックポイントが設置された位置となった場合、当該チェックポイントに対応する情報表示エリアのチェック情報を点灯表示する情報表示シート。
【発明の詳細な説明】
【技術分野】
【０００１】
本発明は、シート媒体上に、複数のチェックポイントのそれぞれに対応して複数の情報表示エリアが設けられてなる情報表示シートに関する。
【背景技術】
【０００２】
従来より、チェックポイントとして予め設定された複数の場所にスタンプ台を設置し、このスタンプ台が設置された場所を回って台紙にスタンプを押していくスタンプラリーが知られている。このスタンプラリーでは、チェックポイント毎にスタンプを押す領域が設けられた台紙が利用者に配布され、利用者は、この台紙を持ってスタンプ台が設置された場所を回り、チェックポイント毎に台紙にスタンプを押していくことになる。
【０００３】
近年、このようなスタンプラリーを、携帯端末を用いて行う技術が考えられている（例えば、特許文献１参照。）。携帯端末を用いてスタンプラリーを行う技術においては、利用者がチェックポイントを通過すると、その旨が、利用者が所持する携帯端末に書き込まれていく。そのため、利用者がスタンプを押すために並ぶことがなく、また、台紙のスタンプを押す場所を間違えることがなくなる。
【特許文献１】特開２００７−２１９５６８号公報
【発明の開示】
【発明が解決しようとする課題】
【０００４】
しかしながら、上述したように携帯端末を用いてスタンプラリーを行う技術は、利用者がチェックポイントを通過した場合に、その旨が、利用者が所持する携帯端末に書き込まれていくものであるため、チェックポイントとして設定された複数の場所毎にスタンプを押す領域が設けられた台紙を用いるものに対して、チェックポイントを通過した旨を視覚的に楽しむことができるとは言い難い。特に、チェックポイントが表示されたマップを用い、このマップ上にスタンプを押していくものに対しては、複数のチェックポイントのうちどのチェックポイントを通過したのかがわかりにくく、スタンプラリーを視覚的に楽しむことができなくなってしまう。
【０００５】
本発明は、上述したような従来の技術が有する問題点に鑑みてなされたものであって、複数のチェックポイントを通過した旨を表示する情報表示シートにおいて、複数のチェックポイントを通過した際にスタンプ等を押下することなく、複数のチェックポイントを通過した旨を視覚的に認識しやすくすることができる情報表示シートを提供することを目的とする。
【課題を解決するための手段】
【０００６】
上記目的を達成するために本発明は、
シート媒体上に、予め設置された複数のチェックポイントのそれぞれに対応して複数の情報表示エリアが設けられてなる情報表示シートであって、
当該情報表示シートの現在位置を取得する位置取得手段と、
前記位置取得手段にて取得された現在位置が、前記チェックポイントが設置された位置である場合、当該チェックポイントに対応する情報表示エリアにチェック情報を表示し、その後、当該情報表示シートの現在位置が、当該チェックポイントが設置された位置でなくなった後も当該表示を維持する表示制御手段とを有する。
【０００７】
上記のように構成された本発明においては、シート媒体上に、予め設置された複数のチェックポイントのそれぞれに対応して複数の情報表示エリアが設けられており、位置取得手段にて取得された情報表示シートの現在位置が、チェックポイントが設置された位置である場合、表示制御手段によって、そのチェックポイントに対応する情報表示エリアにチェック情報が表示され、その後、情報表示シートの現在位置が、そのチェックポイントが設置された位置でなくなった後も、チェック情報の表示が維持される。このように、複数のチェックポイントを通過する度毎に、通過したチェックポイントに対応する情報表示エリアにチェック情報が表示され、その後、その表示が維持されるので、複数のチェックポイントを通過した際にスタンプ等を押下することなく、複数のチェックポイントを通過した旨が視覚的に認識しやすくなる。
【０００８】
また、位置取得手段にて取得された情報表示シートの現在位置が、チェックポイントが設置された位置から所定の距離内である場合、表示制御手段によって、そのチェックポイントに対応する情報表示エリアにチェック情報が点滅表示され、その後、位置取得手段にて取得された情報表示シートの現在位置が、チェックポイントが設置された位置となった場合、表示制御手段によって、そのチェックポイントに対応する情報表示エリアのチェック情報が点灯表示されれば、情報表示シートがチェックポイントに近づいた旨を認識することができるようになる。
【発明の効果】
【０００９】
以上説明したように本発明においては、シート媒体上に、予め設置された複数のチェックポイントのそれぞれに対応して複数の情報表示エリアが設けられてなる情報表示シートであって、情報表示シートの現在位置を取得する位置取得手段と、位置取得手段にて取得された現在位置が、チェックポイントが設置された位置である場合、そのチェックポイントに対応する情報表示エリアにチェック情報を表示し、その後、情報表示シートの現在位置が、そのチェックポイントが設置された位置でなくなった後もその表示を維持する表示制御手段とを有する構成としたため、複数のチェックポイントを通過した際にスタンプ等を押下することなく、複数のチェックポイントを通過した旨を視覚的に認識しやすくすることができる。
【００１０】
また、表示制御手段が、位置取得手段にて取得された現在位置が、チェックポイントが設置された位置から所定の距離内である場合、そのチェックポイントに対応する情報表示エリアにチェック情報を点滅表示し、位置取得手段にて取得された現在位置が、チェックポイントが設置された位置となった場合、そのチェックポイントに対応する情報表示エリアのチェック情報を点灯表示する構成としたものにおいては、情報表示シートがチェックポイントに近づいた旨を認識することができる。
【発明を実施するための最良の形態】
【００１１】
以下に、本発明の実施の形態について図面を参照して説明する。
【００１２】
図１は、本発明の情報表示シートの実施の一形態となるスタンプラリーマップの一例を示す図であり、（ａ）は表面図、（ｂ）は断面図、（ｃ）は（ｂ）に示した制御シート部２０の構造を示す図である。
【００１３】
本形態は図１に示すように、紙等からなるシート媒体である２枚の表面シート１０ａ，１０ｂにシート状の制御シート部２０が挟み込まれ、これらが粘着剤（不図示）によって互いに貼着されて構成されている。
【００１４】
表面シート１０ａには、図１（ａ）に示すように、このスタンプラリーマップ１を用いてスタンプラリーを行う場合にチェックポイントとなる位置に、そのチェックポイントとなる位置にて飼育されている動物が表示される情報表示エリアとなる動物マーク表示部１１ａ〜１１ｊが表示されている。なお、チェックポイントは、このスタンプラリーマップ１を用いてスタンプラリーを行う動物園内にて予め設置されている。
【００１５】
制御シート部２０においては、図１（ｃ）に示すように、動物マーク表示部１１ａ〜１１ｊに対向する領域に表示ユニット２１ａ〜２１ｊがそれぞれ配置されている。また、スタンプラリーマップ１の現在位置を取得する位置取得手段となる通信部２２と、通信部２２にて取得した情報に基づいて、表示ユニット２１ａ〜２１ｊの表示を制御する制御基板２３とが設けられており、制御基板２３と、通信部２２及び表示ユニット２１ａ〜２１ｊとは、表面シート１０ｂに印刷された配線によって互いに電気的に接続されている。この表示ユニット２１ａ〜２１ｊと制御基板２３とから本願発明の表示制御手段が構成されている。なお、表示ユニット２１ａ〜２１ｊは、発色層が２枚の透明電極によって挟み込まれ、透明電極に印加される電圧によって発色層が発色することにより点灯あるいは点滅するものであり、垂直型電気泳動方式のものやエレクトロクロミック方式のもの等、電圧が印加されなくなった後でも点灯を維持することができるものである。また、制御基板２３は、フィルム等のフレキシブルな基板上に、小型のＩＣチップやコンデンサ、抵抗等の回路素子が搭載されるとともに、これらを接続する配線が設けられたものである。制御シート部２０は、上述したような構成であることから、可撓性を有しており、それにより、スタンプラリーマップ１を折り畳むことができる。
【００１６】
以下に、上記のように構成されたスタンプラリーマップ１の使用方法について説明する。
【００１７】
図２は、図１に示したスタンプラリーマップ１を用いてスタンプラリーが行われる動物園内の施設を示す図であり、（ａ）は全体のマップを示す図、（ｂ）は（ａ）に示したメイン基地局３ａ−１及びサブ基地局３ａ−２の通信エリアを示す図である。
【００１８】
図１に示したスタンプラリーマップ１を用いてスタンプラリーが行われる動物園２には、図２（ａ）に示すように、この動物園２にて公開されている動物が飼育されている場所のそれぞれにメイン基地局３ａ−１〜３ｊ−１とサブ基地局３ａ−２〜３ｊ−２との一対の基地局が設置されている。
【００１９】
メイン基地局３ａ−１は図２（ｂ）に示すように、メイン基地局３ａ−１の周辺部のみに通信エリア４ａ−１を有し、スタンプラリーを行うために予め設置されたチェックポイントの位置が通信エリア４ａ−１となっている。また、サブ基地局３ａ−２は図２（ｂ）に示すように、メイン基地局３ａ−１の通信エリア４ａ−１よりも広い通信エリア４ａ−２を有している。図１に示したスタンプラリーマップ１は、通信エリア４ａ−１内に存在する場合にメイン基地局３ａ−１及びサブ基地局３ａ−２から送信された情報を受信し、通信エリア４ａ−２内であって通信エリア４ａ−１外に存在する場合にサブ基地局３ａ−２から送信された情報を受信する。すなわち、スタンプラリーマップ１は、メイン基地局３ａ−１の通信エリア４ａ−１によるチェックポイントが設置された位置に存在する場合に、メイン基地局３ａ−１及びサブ基地局３ａ−２から送信された情報を受信し、メイン基地局３ａ−１の通信エリア４ａ−１によるチェックポイントが設置された位置からサブ基地局３ａ−２の通信エリア４ａ−２の範囲による所定の距離内に存在する場合に、サブ基地局３ａ−２から送信された情報を受信する。なお、メイン基地局３ｂ−１〜３ｊ−１とサブ基地局３ｂ−２〜３ｊ−２との通信エリアの関係もこれらと同様であり、スタンプラリーマップ１は、メイン基地局３ｂ−１〜３ｊ−１及びサブ基地局３ｂ−２〜３ｊ−２の通信エリアに応じて、メイン基地局３ｂ−１〜３ｊ−１やサブ基地局３ｂ−２〜３ｊ−２から送信された情報を受信することになる。なお、メイン基地局３ａ−１〜３ｊ−１及びサブ基地局３ａ−２〜３ｊ−２における通信方式は、電波や赤外線等が考えられる。また、サブ基地局３ａ−２〜３ｊ−２の通信エリアは、互いに干渉しないように設定されているが、電波を用いた場合は周波数や時間、赤外線を用いた場合は時間をそれぞれサブ基地局３ａ−２〜３ｊ−２毎に割り当てて情報を送信すれば、サブ基地局３ａ−２〜３ｊ−２の通信エリアが若干重なるものとしてもスタンプラリーマップ１にてサブ基地局３ａ−２〜３ｊ−２から送信された情報をサブ基地局３ａ−２〜３ｊ−２を識別して受信することができる。本形態においては、メイン基地局３ａ−１〜３ｊ−１及びサブ基地局３ａ−２〜３ｊ−２から基地局ＩＤを赤外線を用いて送信することとし、サブ基地局３ａ−２〜３ｊ−２からの基地局ＩＤの送信タイミングが互いに異なるように設定されている。
【００２０】
図３は、図１に示したスタンプラリーマップ１を用いて図２に示した動物園２内にてスタンプラリーを行う場合のスタンプラリーマップ１の動作を説明するためのフローチャートである。
【００２１】
動物園２への入場者がスタンプラリーマップ１を所持し、動物園２内にてスタンプラリーを行う場合、まず、スタンプラリーマップ１の通信部２２において、スタンプラリーマップ１の現在位置が取得される。動物園２に設置されたメイン基地局３ａ−１〜３ｊ−１及びサブ基地局３ａ−２〜３ｊ−２のそれぞれからは、メイン基地局３ａ−１〜３ｊ−１及びサブ基地局３ａ−２〜３ｊ−２をそれぞれ識別可能な基地局ＩＤが送信されている。この基地局ＩＤはメイン基地局３ａ−１〜３ｊ−１及びサブ基地局３ａ−２〜３ｊ−２の通信エリアに存在するスタンプラリーマップ１の通信部２２にて受信される（ステップＳ１）。
【００２２】
スタンプラリーマップ１の通信部２２にて受信された基地局ＩＤは制御基板２３に通知され、制御基板２３において、通信部２２から通知された基地局ＩＤにメイン基地局３ａ−１〜３ｊ−１の基地局ＩＤが含まれているかどうかが確認され（ステップＳ２）、メイン基地局３ａ−１〜３ｊ−１の基地局ＩＤが含まれていない場合、表示ユニット２１ａ〜２１ｊのうち、通信部２２から通知された基地局ＩＤに含まれるサブ基地局３ａ−２〜３ｊ−２の基地局ＩＤに対応する表示ユニットが点滅するように制御される（ステップＳ３）。制御基板２２においては、ＩＣチップのメモリ内において、メイン基地局３ａ−１〜３ｊ−１及びサブ基地局３ａ−２〜３ｊ−２から送信される基地局ＩＤについて、メイン基地局３ａ−１〜３ｊ−１とサブ基地局３ａ−２〜３ｊ−２とが区別されて管理されている。また、制御基板２２のＩＣチップのメモリ内には、メイン基地局３ａ−１〜３ｊ−１及びサブ基地局３ａ−２〜３ｊ−２の基地局ＩＤと表示ユニット２１ａ〜２１ｊとが対応づけて記憶されている。具体的には、メイン基地局３ａ−１及びサブ基地局３ａ−２の基地局ＩＤと表示ユニット２１ａとが対応づけて記憶され、メイン基地局３ｂ−１及びサブ基地局３ｂ−２の基地局ＩＤと表示ユニット２１ｂとが対応づけて記憶され、メイン基地局３ｃ−１及びサブ基地局３ｃ−２の基地局ＩＤと表示ユニット２１ｃとが対応づけて記憶され、メイン基地局３ｄ−１及びサブ基地局３ｄ−２の基地局ＩＤと表示ユニット２１ｄとが対応づけて記憶され、メイン基地局３ｅ−１及びサブ基地局３ｅ−２の基地局ＩＤと表示ユニット２１ｅとが対応づけて記憶され、メイン基地局３ｆ−１及びサブ基地局３ｆ−２の基地局ＩＤと表示ユニット２１ｆとが対応づけて記憶され、メイン基地局３ｇ−１及びサブ基地局３ｇ−２の基地局ＩＤと表示ユニット２１ｇとが対応づけて記憶され、メイン基地局３ｈ−１及びサブ基地局３ｈ−２の基地局ＩＤと表示ユニット２１ｈとが対応づけて記憶され、メイン基地局３ｉ−１及びサブ基地局３ｉ−２の基地局ＩＤと表示ユニット２１ｉとが対応づけて記憶され、メイン基地局３ｊ−１及びサブ基地局３ｊ−２の基地局ＩＤと表示ユニット２１ｊとが対応づけて記憶されている。そして、制御基板２２において、この対応づけに基づいて、サブ基地局３ａ−２〜３ｊ−２の基地局ＩＤに対応する表示ユニットの透明電極に所定の電圧が印加され、それにより、通信部２２から通知された基地局ＩＤに対応する表示ユニットが点滅するように制御される。
【００２３】
図４は、図１に示したスタンプラリーマップ１において表示ユニット２１ｆ，２１ｉが点滅している状態を示す図である。
【００２４】
例えば、スタンプラリーマップ１を所持する入場者が、ペンギンが飼育されている場所に設置されたサブ基地局３ｆ−２及びウサギが飼育されている場所に設置されたサブ基地局３ｉ−２の通信エリアに入ると、上述したように制御基板２３の制御によって、表示ユニット２１ｆ，２１ｉが点滅する。この表示ユニット２１ｆ，２１ｉに対向する領域には、ペンギン及びウサギの絵柄からなる動物マーク表示部１１ｆ，１１ｉが設けられているため、表示ユニット２１ｆ，２１ｉが点滅すると、図４に示すように、動物マーク表示部１１ｆ，１１ｉにてペンギン及びウサギの絵柄がチェック情報としてそれぞれ点滅表示される。なお、２つのサブ基地局３ｆ−２，３ｉ−２においては、基地局ＩＤの送信タイミングが互いに異なるように設定されているため、２つのサブ基地局３ｆ−２，３ｉ−２から送信された基地局ＩＤをサブ基地局３ｆ−２，３ｉ−２を識別して受信することができる。
【００２５】
そして、スタンプラリーマップ１を所持する入場者が、ペンギンが飼育されている場所にさらに近づいていき、ペンギンが飼育されている場所に設置されたメイン基地局３ｆ−１の通信エリアに入ると、スタンプラリーマップ１の通信部２２において、メイン基地局３ｆ−１及びサブ基地局３ｆ−２，３ｉ−２から送信された基地局ＩＤが受信される。
【００２６】
図５は、図２に示したメイン基地局３ｆ−１及びサブ基地局３ｆ−２からの基地局ＩＤの送信タイミングを示す図である。
【００２７】
図５に示すように、図２に示したメイン基地局３ｆ−１及びサブ基地局３ｆ−２からは、互いに異なるタイミングで基地局ＩＤが送信されている。これは、他のメイン基地局３ａ−１〜３ｅ−１，３ｇ−１〜３ｊ−１とサブ基地局３ａ−２〜３ｅ−２，３ｇ−２〜３ｊ−２とでも同様である。そのため、スタンプラリーマップ１の通信部２２において、メイン基地局３ｆ−１及びサブ基地局３ｆ−２から送信された基地局ＩＤを共に受信した場合であっても、これらを識別することができる。また、２つのサブ基地局３ｆ−２，３ｉ−２からの基地局ＩＤの送信タイミングも、上述したように互いに異なるように設定されているため、スタンプラリーマップ１の通信部２２においては、サブ基地局３ｆ−２，３ｉ−２から送信された基地局ＩＤを、これらを識別して受信することができる。
【００２８】
スタンプラリーマップ１の通信部２２にて受信された基地局ＩＤは制御基板２３に通知され、制御基板２３において、通信部２２から通知された基地局ＩＤにメイン基地局３ａ−１〜３ｊ−１の基地局ＩＤが含まれている場合、表示ユニット２１ａ〜２１ｊのうち、通信部２２から通知された基地局ＩＤに含まれるメイン基地局３ａ−１〜３ｊ−１の基地局ＩＤに対応する表示ユニットが、この表示ユニットの透明電極に所定の電圧が印加されることにより点灯するように制御される（ステップＳ４）。本例においては、通信部２２から通知された基地局ＩＤにメイン基地局３ｆ−１の基地局ＩＤが含まれているため、表示ユニット２１ｆが点灯するように制御される。なおこの際、制御基板２３には、メイン基地局３ｆ―１の基地局ＩＤとともに、サブ基地局３ｆ−２，３ｉ−２の基地局ＩＤも通信部２２から通知されている。制御基板２３においては、通信部２２から通知されたサブ基地局３ｆ−２，３ｉ−２の基地局ＩＤのうち、通信部２２から基地局ＩＤが通知されたメイン基地局３ｆ−１と対となるサブ基地局３ｆ−２の基地局ＩＤについては対応する表示ユニット２１ｆの点滅表示の制御が行われず、サブ基地局３ｉ−２の基地局ＩＤに対応する表示ユニット２１ｉのみについて点滅表示が行われる。
【００２９】
図６は、図１に示したスタンプラリーマップ１において表示ユニット２１ｆが点灯し、表示ユニット２１ｉが点滅している状態を示す図である。
【００３０】
上述したように、スタンプラリーマップ１を所持する入場者が、ペンギンが飼育されている場所に設置されたサブ基地局３ｆ−２及びウサギが飼育されている場所に設置されたサブ基地局３ｉ−２の通信エリアに入り、さらに、ペンギンが飼育されている場所に近づいていき、ペンギンが飼育されている場所に設置されたメイン基地局３ｆ−１の通信エリアに入ると、制御基板２３の制御によって、表示ユニット２１ｆが点灯するとともに表示ユニット２１ｉが点滅する。この表示ユニット２１ｆ，２１ｉに対向する領域には、ペンギン及びウサギの絵柄からなる動物マーク表示部１１ｆ，１１ｉが設けられているため、表示ユニット２１ｆが点灯するとともに表示ユニット２１ｉが点滅すると、図６に示すように、動物マーク表示部１１ｆにてペンギンの絵柄がチェック情報として点灯表示されるとともに、動物マーク表示部１１ｉにてウサギの絵柄がチェック情報として点滅表示される。
【００３１】
そして、スタンプラリーマップ１を所持する入場者が、ウサギが飼育されている場所に近づいていき、ウサギが飼育されている場所に設置されたメイン基地局３ｉ−１の通信エリアに入ると、メイン基地局３ｉ−１から送信された基地局ＩＤがスタンプラリーマップ１の通信部２２にて受信され、上記同様にして、動物マーク表示部１１ｉにてウサギの絵柄がチェック情報として点灯表示される。この際、スタンプラリーマップ１の現在位置が、メイン基地局３ｆ−１の通信エリアによるチェックポイントが設置された位置ではなくなっていることから、スタンプラリーマップ１の通信部２２においては、メイン基地局３ｆ−１の基地局ＩＤが受信されなくなり、表示ユニット２１ｆの透明電極に所定の電圧が印加されなくなっているが、表示ユニット２１ｆは、垂直型電気泳動方式のものやエレクトロクロミック方式のもの等、電圧が印加されなくなった後でも点灯を維持することができるものであるため、動物マーク表示部１１ｆにてペンギンの絵柄がチェック情報として点灯表示された状態は維持される（ステップＳ５）。
【００３２】
その後、スタンプラリーマップ１を所持する入場者が移動し、ワニが飼育されている場所に設置されたサブ基地局３ｊ−２の通信エリアに入ると、上述したように制御基板２３の制御によって、表示ユニット２１ｊが点滅する。
【００３３】
図７は、図１に示したスタンプラリーマップ１において表示ユニット２１ｊが点滅している状態を示す図である。
【００３４】
スタンプラリーマップ１を所持する入場者が、ワニが飼育されている場所に設置されたサブ基地局３ｊ−２の通信エリアに入り、表示ユニット２１ｊが点滅すると、この表示ユニット２１ｊに対向する領域には、ワニの絵柄からなる動物マーク表示部１１ｊが設けられているため、図７に示すように、動物マーク表示部１１ｊにてワニの絵柄がチェック情報として点滅表示される。またこの際、スタンプラリーマップ１の現在位置が、メイン基地局３ｉ−１の通信エリアによるチェックポイントが設置された位置ではなくなっていることから、スタンプラリーマップ１の通信部２２においては、メイン基地局３ｉ−１の基地局ＩＤが受信されなくなり、表示ユニット２１ｉの透明電極に所定の電圧が印加されなくなっているが、表示ユニット２１ｉは、電圧が印加されなくなった後でも点灯を維持することができるものであるため、動物マーク表示部１１ｉにてウサギの絵柄がチェック情報として点灯表示された状態は維持される。
【００３５】
このようにして、スタンプラリーマップ１を所持する入場者は、動物園２内に設置されたチェックポイントを回って、スタンプラリーマップ１の動物マーク表示部１１ａ〜１１ｊにて動物の絵柄を点灯表示させていくことにより、スタンプラリーを行うこととなる。
【００３６】
なお、本形態においては、スタンプラリーマップ１の現在位置を、動物が飼育されている場所に設置されたメイン基地局３ａ−１〜３ｊ−１やサブ基地局３ａ−２〜３ｊ−２から送信された基地局ＩＤによって認識しているが、通信部２２に一般的なＧＰＳ（Global Positioning System）機能を搭載し、スタンプラリーマップ１の現在位置を取得する構成としてもよい。
【００３７】
また、上述したスタンプラリーマップ１において、制御シート部２０に、ピエゾ素子や振動板からなるシート状の音声出力手段を設けることにより、例えば、スタンプラリーマップ１の現在位置やチェックポイントの通過状況についての情報を音声によって出力することもできる。その場合、出力される音声情報はメイン基地局３ａ−１〜３ｊ−１やサブ基地局３ａ−２〜３ｊ−２から送信されることや、制御基板２３のＩＣチップのメモリ内に記憶しておくこと等が考えられるが、メイン基地局３ａ−１〜３ｊ−１やサブ基地局３ａ−２〜３ｊ−２と通信部２２との通信を赤外線等の簡易な方法で行う場合は、制御基板２３のＩＣチップのメモリ内に記憶しておくが好ましい。
【００３８】
また、本形態においては、情報表示シートとしてスタンプラリーマップ１を例に挙げて説明したが、複数のチェックポイントを回り、そのチェックポイントを通過した旨を記録しておくものであれば、その他のものにおいても本発明を適用することができる。
【図面の簡単な説明】
【００３９】
【図１】本発明の情報表示シートの実施の一形態となるスタンプラリーマップの一例を示す図であり、（ａ）は表面図、（ｂ）は断面図、（ｃ）は（ｂ）に示した制御シート部の構造を示す図である。
【図２】図１に示したスタンプラリーマップを用いてスタンプラリーが行われる動物園内の施設を示す図であり、（ａ）は全体のマップを示す図、（ｂ）は（ａ）に示したメイン基地局及びサブ基地局の通信エリアを示す図である。
【図３】図１に示したスタンプラリーマップを用いて図２に示した動物園内にてスタンプラリーを行う場合のスタンプラリーマップの動作を説明するためのフローチャートである。
【図４】図１に示したスタンプラリーマップにおいて表示ユニットが点滅している状態を示す図である。
【図５】図２に示したメイン基地局及びサブ基地局からの基地局ＩＤの送信タイミングを示す図である。
【図６】図１に示したスタンプラリーマップにおいて表示ユニットが点灯及び点滅している状態を示す図である。
【図７】図１に示したスタンプラリーマップにおいて表示ユニットが点滅している状態を示す図である。
【符号の説明】
【００４０】
１    スタンプラリーマップ
２    動物園
３ａ−１〜３ｊ−１    メイン基地局
３ａ−２〜３ｊ−２    サブ基地局
４ａ−１，４ａ−２    通信エリア
１０ａ，１０ｂ    表面シート
１１ａ〜１１ｊ    動物マーク表示部
２０    制御シート部
２１ａ〜２１ｊ    表示ユニット
【図１】
2010099192.tif 000003
【図２】
2010099192.tif 000004
【図３】
2010099192.tif 000005
【図４】
2010099192.tif 000006
【図５】
2010099192.tif 000007
【図６】
2010099192.tif 000008
【図７】
2010099192.tif 000009